(57)【要約】【課題】  面着して開けづらかったロール状の連続式樹脂袋、レジ袋や家庭用ゴミ袋の開口部を、濡れたおしぼりやスポンジに指先を押し当てて濡らしたり、もしくは指先を舐めて指先を濡らして袋の開口部にこすり合わせて袋を開けていたが、大変不衛生であった。【解決手段】  可撓性部材から形成され、指に挿脱自在に挿着するリング状部と、該リング状部の外面に設けた第１挟み部と、前記リング状部の適所から分岐して該リング状部から順次離れる方向に伸びる第２挟み部と、から構成され、前記リング状部を指に挿着した状態で前記第１、第２挟み部との間に薄袋の開口端を挟み、且つ挟んだ状態で該開口端部分を捻じるなどして該薄袋の開口端を開口するよう構成したことで解決する。【選択図】  図１
2011152922.tif 000002
【特許請求の範囲】
【請求項１】
可撓性部材から形成され、指に挿脱自在に挿着するリング状部と、該リング状部の外面に設けた第１挟み部と、前記リング状部の適所から分岐して該リング状部から順次離れる方向に伸びる第２挟み部と、から構成され、前記リング状部を指に挿着した状態で前記第１、第２挟み部との間に薄袋の開口端を挟み、且つ挟んだ状態で該開口端部分を捻じるなどして該薄袋の開口端を開口するよう構成したことを特徴とする薄袋開口用具。
【請求項２】
前記リング状部の一部が開口部を有していることを特徴とする請求項１記載の薄袋開口用具。
【請求項３】
前記開口部が前記第１挟み部のリング状部から分岐部分に設けたことを特徴とする請求項２記載の薄袋開口用具。
【請求項４】
前記第１、第２挟み部の対向する面の少なくとも一方が摩擦力を備えていることを特徴とする請求項１ないし３のいずれかに記載の薄袋開口用具。
【請求項５】
前記可撓性部材は、エラストマーまたはゴム系材料であることを特徴とする請求項１記載の薄袋開口用具。
【請求項６】
前記リング状部は、伸縮自在であることを特徴とする請求項１ないし５のいずれかに記載の薄袋開口用具。
【請求項７】
前記リング状部は、常時圧縮方向に撥力を有するように構成されたことを特徴とする請求項１ないし６のいずれかに記載の薄袋開口用具。
【発明の詳細な説明】
【技術分野】
【０００１】
本発明は、開口部が静電気などで密着して指でなかなか開けることの出来ない、特に合成樹脂製薄袋の開口部を開けることの出来る薄袋開口用具に関する。
【背景技術】
【０００２】
従来、スーパーや小売店などにおいて、レジ袋や生鮮食品、冷凍食品を入れるためのサッカー台等に置かれたロール状の連続式樹脂袋、更には家庭用ゴミ袋、古新聞を入れる袋等は、その製造工程で向かい合わせた袋状物を熱着、切断等しているため袋自体が静電気などにより面着されている。
【０００３】
このため、これらの薄袋内に物を入れる時に開口部が指ではなかなか開けることが出来ない。
【０００４】
サッカー台に指先を濡らすための濡れたおしぼりやスポンジなどで指先を濡らして袋の開口部をこすり合わせて開いており、人によっては指先を唾液で濡らして開口していた。
【先行技術文献】
【特許文献】
【０００５】
【特許文献１】特開２００６−２８２２７３号公報
【特許文献２】特開２００７−３０９８２号公報
【特許文献３】実開２００９−３１５１２７０号公報
【発明の概要】
【発明が解決しようとする課題】
【０００６】
しかしながら、指先を濡らすためのおしぼりやスポンジなどは、不特定多数の人が使用するため、不衛生であると感じる人が多く、管理が行き届いていないと雑菌が繁殖することもあり、又指先を舐めて開口することにおいては抵抗のある人が大変多かった。
【０００７】
特許文献１のようなレジ袋開け具は、ゴム等の材料のシートを折り曲げて、その隙間でレジ袋の開口動作を行うため、用具を片手に持つ形となるため、手の不自由な人や高齢者には、袋の開口部を隙間に挿入することが難しいという欠点が有った
。
【０００８】
又、特許文献２のような袋分離用具の一例に２つのシリコンリングに各々人差し指と親指で挟み込んで摺り動かさせるものが提案されているが、人差し指と親指の両方に装着しなければならず、使用範囲が制限されて使いづらいという欠点が有った。
【０００９】
又、特許文献３のようなV字形状の端面部に袋の開口部を挟み込んでゴム系材料で出来た挟み部などで、開口部をずらして開口する用具が提案されているが、これも袋の開口部を隙間に挿入することが難しいという欠点が有った。
【課題を解決するための手段】
【００１０】
本発明の薄袋開口用具は、可撓性部材から形成され、指に挿脱自在に挿着するリング状部と、該リング状部の外面に設けた第１挟み部と、前記リング状部の適所から分岐して該リング状部から順次離れる方向に伸びる第２挟み部と、から構成され、前記リング状部を指に挿着した状態で前記第１、第２挟み部との間に薄袋の開口端を挟み、且つ挟んだ状態で該開口端部分を捻じるなどして該薄袋の開口端を開口するよう構成したことを特徴とする。
【００１１】
又、リング形状部の分岐点において開口したことを特徴とする。
【００１２】
又、リング形状部の一部が開口部を有し、この開口部に指を挟み込んで装着することを特徴とする。
【００１３】
又、前記第1、第２挟み部の対向する面の少なくとも一方が摩擦力を備えていることを特徴とする。
【００１４】
又、可撓性部材であるエラストマー又はゴム系材料などから形成されていることを特徴とする。
【００１５】
又、本発明の袋開口用具は、リング形状部の外周部分に携帯用引っかけ穴が設けられていることを特徴とする。
【発明の効果】
【００１６】
本発明は、リング形状部に挿脱自在に指を挿入して装着するだけで、リング形状部から伸びて構成されたもう一方の挟み部が常にほかの指で自由に挟めるよう形成されているため、袋の開口部を簡単に開口出来るものとなる。
【００１７】
又、本発明は、リング形状部の一部を開口したので、指の挿脱が容易に出来る。
【００１８】
又、本発明は、エラストマー又はゴム系材料から形成されているため可撓性があり、一対の挟み部間で薄袋を挟みやすく、挟み部間に摩擦力があるので簡単かつ確実に薄袋を開口出来る。
【００１９】
又、本発明は、リング形状部が常時圧縮方向に撥力を有するよう形成されているので指の太さに関係なく指になじんだ挿着ができる。
【図面の簡単な説明】
【００２０】
【図１】本発明の第１実施例を示す斜視図である。
【図２】本発明の第２実施例を示す斜視図である。
【図３】本発明の第３実施例を示す斜視図である。
【図４】本発明の使用実施例を示す斜視図である。
【発明を実施するための形態】
【００２１】
本発明における薄袋開口用具の大きさ、デザイン、材質、製造方法は特に限定される事はないが、製造コストや着色成形等の面からエラストマー樹脂成形されたものが好ましく、特にこのエラストマー樹脂に予め抗菌剤を含有したものが清潔に使用出来る。
以下、実施例と図に基づき説明する。
【実施例１】
【００２２】
以下、本発明の第１実施例を図１で説明する。
【００２３】
図１は本発明の一実施例を示し、可撓性部材から形成され、指に挿脱自在に挿着するリング状部（２）と、該リング状部の外面に設けた第１挟み部（３）と、前記リング状部の適所から分岐（５）して該リング状部から順次離れる方向に伸びる第２挟み部（４）と、から構成され、前記リング状部を指に挿着した状態で前記第１、第２挟み部との間（６）に薄袋の開口端を挟み、且つ挟んだ状態で該開口端部分を捻じるなどして該薄袋の開口端を開口するよう構成されている。
【００２４】
なお、その際ストラップ（１０）などを取り付けられるようにリング形状部の外周部分に携帯用引っかけ穴（９）が設けられている。
【００２５】
更に、点または、線接触の摩擦力により捻じりやすくするために対向する第１挟み部と第２挟み部に一つ又は複数の突起部（８a）（８ｂ）が設けられている。
【実施例２】
【００２６】
以下、本発明の第２実施例を図２で説明する。
【００２７】
図２は本発明の別の第２実施例を示し、リング状部の一部が開口部（７）を有しておりその開口部がリング状部から分岐部分に設けているものである。
【実施例３】
【００２８】
以下、本発明の第３実施例を図３で説明する。
【００２９】
図３は更に本発明の別の第３実施例を示し、リング状部の一部が開口部（７）を有しておりその開口部がリング状部から分岐部以外に設けているものである。
【実施例４】
【００３０】
以下、本発明の使用実施例を図４で説明する。尚、第１ないし第３実施例、使用実施例によって本発明はなんら限定されるものではない。
【００３１】
図４は本発明の使用実施例を示し、薄袋（１１）の開口端を前記挟み部に挟み、前後あるいは、左右に捻じり薄袋を開口する。
【００３２】
尚、本発明の薄袋開口用具（１）は、携帯用引っ掛け穴（９）を付与することにより、買い物カバン（エコバックなど）やサッカー台にストラップやチェーンなどで取り付けができる。
【符号の説明】
【００３３】
１ 薄袋開口用具        
２ リング状部        
３ 第１挟み部
４ 第２挟み部            
５  分岐点              
６  薄袋挟み部（第１挟み部と第２挟み部との間）
７ 開口部            
８a，８ｂ 突起部        
９  携帯用引っかけ穴
１０  ストラップ
１１  薄袋（レジ袋）
【図１】
2011152922.tif 000003
【図２】
2011152922.tif 000004
【図３】
2011152922.tif 000005
【図４】
2011152922.tif 000006